(57)【要約】【課題】従来の表示装置では、マルチカラーの飾り部を有する表示装置において、飾り部の輝度を調整することが出来ないために、夜間などの表示装置の周囲が暗い条件下においては、飾り部の色によっては、飾り部の色の方が目立ち、視認性の面で、表示部の表示内容が見づらくなるという問題があった。【解決手段】表示装置５０は、飾り部輝度制御部４０を備え、メイン制御部２８が、飾り部の色により、輝度設定部２２に供給するクロックと飾り部３に供給するクロックとを、異なる周波数に設定することを特徴とする。このような構成にすることにより、飾り部の輝度を制御することができ、表示部と飾り部の輝度のバランスを最適にすることができる。【選択図】  図１
2004325472.tif 000002
【特許請求の範囲】
【請求項１】
複数個のＬＥＤをマトリクス状に配置した表示部と、
前記表示部の周辺に複数のＬＥＤを配置した飾り部とを備え、前記飾り部のＬＥＤは、少なくとも２種類以上の色のＬＥＤを近接に配置し、前記２種類以上の色の個々のＬＥＤの輝度を制御することにより、複数の色を表示する表示装置において、前記表示部のＬＥＤと前記飾り部の各色のＬＥＤの輝度をパルス信号にて制御し、前記飾り部の前記複数の色により、飾り部の輝度を制御するパルス幅変調部を備えたことを特徴とする表示装置。
【請求項２】
複数個のＬＥＤをマトリクス状に配置した表示部と、
前記表示部の周辺に複数のＬＥＤを配置した飾り部とを備え、前記飾り部のＬＥＤは、少なくとも２種類以上の色のＬＥＤを近接に配置し、前記２種類以上の色の個々のＬＥＤの輝度を制御することにより、複数の色を表示する表示装置において、前記飾り部の色の輝度が前記表示部の輝度を超えないように制御することを特徴とする表示装置の輝度制御方法。
【請求項３】
複数個のＬＥＤをマトリクス状に配置した表示部と、
前記表示部の周辺に複数のＬＥＤを配置した飾り部とを備え、前記飾り部のＬＥＤは、少なくとも２種類以上の色のＬＥＤを近接に配置し、前記２種類以上の色の個々のＬＥＤの輝度を制御することにより、複数の色を表示する表示装置において、前記飾り部の色の輝度を前記表示装置の周囲の明るさによって、自動的に制御することを特徴とする表示装置の輝度制御方法。
【発明の詳細な説明】
【０００１】
【発明の属する技術分野】
本発明はＬＥＤなどの発光体をマトリクス状に配置し、文字、図形などを表示する表示部と、表示部の周囲に表示内容を目立たせるための飾り部とを備えた表示装置に関し、特に輝度制御方法に関するものである。
【０００２】
【従来の技術】
従来、表示装置は、図８に示されるように、文字や画像を表示するために複数のＬＥＤをマトリックス状に配置した表示部２と、表示部２の表示内容を目立たせるために、表示部２の周囲に複数のＬＥＤを１列に配置した飾り部３と、支持体４から構成され、リモコン５により、表示部２の表示内容の設定変更や飾り部３の色の設定変更を行うことが出来る（例えば、特許文献１参照）。
【０００３】
ここで、飾り部３については、単色のＬＥＤで構成されるものの他、最近では、図９に示されるように赤ＬＥＤ３０、緑ＬＥＤ３１、青ＬＥＤ３２を１セットにし、各色の輝度を変えることにより、複数の色を表現するようにした、いわゆるマルチカラーの飾り部３を有する表示装置がある。
【０００４】
また、このようなマルチカラーの飾り部３を有する表示装置１の内部は、図１０のブロック図に示されるように、内部回路の制御及び表示内容の制御を行うメイン制御部１０と、情報を表示するための複数のＬＥＤからなる表示部２と、複数の赤ＬＥＤ３０と緑ＬＥＤ３１と青ＬＥＤ３２とからなる飾り部３と、表示部２の輝度を設定する輝度設定部２２と赤ＬＥＤ３０、緑ＬＥＤ３１、青ＬＥＤ３２の各々の輝度を調整する色設定部２３とを有するパルス幅変調部２１と、輝度設定部２２と色設定部２３の動作クロックを生成するクロック生成部２０と、周囲の明るさを検出するための外光センサー１４と、リモコンからの信号を受信するリモコン信号受信部１８と、表示部２に表示する表示内容のデータを格納した表示データテーブル２５と、表示部２のＬＥＤの輝度データを格納した輝度テーブル２６と、飾り部３の色データを格納した色テーブル２７からなり、表示部２の表示内容の変更や飾り部３の色の変更は、ユーザーがリモコン５を操作することにより、変更することができ、変更されたデータは、表示データテーブル２５に格納される。
【０００５】
また、表示部２のＬＥＤの点滅の制御は、輝度設定部２２から出力される図１１（ａ）に示されるようなパルス信号によって制御され、点灯時間ｔ１は、ＬＥＤに電流が流れる時間であり、また消灯時間ｔ２は、ＬＥＤに電流を流さない時間であり、この順次点灯動作を高速に繰り返すことにより、人間の目には、ＬＥＤが常に点灯しているように見える。
【０００６】
また、表示部２のＬＥＤの輝度は、点灯時間ｔ１のパルス幅によって決まり、パルス幅を大きくすれば、ＬＥＤの輝度は明るくなり、パルス幅を小さくすれば、暗くすることができる。
【０００７】
通常の表示装置１は、周期ｔ３を１６分割し、１６階調の輝度の設定ができるようになっており、この設定については、メイン制御部１０が、外光センサー１４の検出値から、表示装置１が設置されている場所の明るさを認識し、輝度テーブル２６を参照し、最適な輝度レベルを選択し、表示部２のＬＥＤの点灯時間ｔ１を自動的に設定するようになっている。
【０００８】
また、飾り部３の色については、図１１（ｂ）に示されるように、表示部２のＬＥＤと同様に、１６階調まで輝度が調整できる赤ＬＥＤ３０、緑ＬＥＤ３１、青ＬＥＤ３２の各々のパルス幅ｔ５、ｔ６、ｔ７を調整することで、４０９６色の色を表示することができるようになっている。
【０００９】
【特許文献１】
特開平１１−３３８３８６号公報
【００１０】
【発明が解決しようとする課題】
しかしながら、上述した従来の表示装置では、夜間などのように周囲が暗い条件下においては、表示部の輝度は、自動的に暗めに設定されるが、飾り部の色が、例えば、白色のような、赤緑青の３色のＬＥＤを最大輝度で発光させるような色に設定されていると、飾り部の方が目立ち、その光の影響で表示部の表示内容が見えにくくなるというような、視認性において問題がある。
【００１１】
これは、表示部を構成する個々のＬＥＤの間隔と、３種類のＬＥＤを密に構成することにより複数の色を表示する飾り部の個々のＬＥＤの間隔との違いによるものであり、従来の構成では、飾り部の輝度を制御する手段が無いため、制御することができないことによる。
【００１２】
本発明は、前記問題に鑑み、表示部と飾り部の輝度のバランスを調整でき、最適な視認性が得られる表示装置を提供することを目的とする。
【００１３】
【課題を解決するための手段】
上記問題を解決するために、本発明の表示装置は、請求項１記載のように、表示部のＬＥＤと飾り部の各色のＬＥＤの輝度をパルス信号にて制御し、前記飾り部の前記複数の色により、飾り部の輝度を制御するパルス幅変調部を備えたことを特徴とする。
【００１４】
係る構成によれば、飾り部の輝度を制御することが可能となる。
【００１５】
また、本発明の表示装置の輝度制御方法は、請求項２記載のように、飾り部の色の輝度が表示部の輝度を超えないように制御することを特徴とする。
【００１６】
係る構成によれば、飾り部の輝度により、表示部の表示内容が見えなくなることを防ぐことができる。
【００１７】
また、本発明の表示装置の輝度制御方法は、請求項３記載のように、飾り部の色の輝度を表示装置の周囲の明るさによって、自動的に飾り部の輝度を制御することを特徴とする。
【００１８】
係る構成によれば、昼夜を問わず、最適な視認性を得ることが出来る。
【００１９】
【発明の実施の形態】
以下、本発明の実施の形態について、図１乃至図７を基に説明する。
【００２０】
なお、図面を説明するにあたり、従来と同一構成のものには、同一符号を付し、説明を省略する。
【００２１】
図１は、本発明の表示装置の内部構成を示すブロック図である。
【００２２】
本発明の表示装置５０は、パルス幅変調部６０に飾り部輝度制御部４０と間引き制御部７０を備えたことを特徴とする。
【００２３】
飾り部輝度制御部４０は、色設定部２３に供給するクロックを飾り部３の色により、異なる周波数にすることを特徴とし、図２に示されるように、第１の分周回路３０ａと、第２の分周回路３０ｂと、第３の分周回路３０ｃと、切替部３０ｄからなり、第１の分周回路３０ａは、クロック生成部２０から入力されたクロックを６分周し、第２の分周回路３０ｂは３分周し、第３の分周回路３０ｃは２分周するようにし、輝度設定部２２に対しては６分周のクロックを供給し、色設定部２３に対しては、飾り部３の色により、前記３種類のクロックのうち、最適なクロックをメイン制御部２８が、切替部３０ｄを制御することにより、選択し供給する。
【００２４】
このような飾り部輝度制御部４０により、図３に示されるように、色設定部２３から、出力されるパルス幅を３段階に調整することができ、例えば、色設定部２３に第２の分周回路３０ｂを介したクロックで供給すれば、従来のパルス幅の１／２にすることができる。
【００２５】
しかしながら、色設定部２３に供給するクロックによりパルス幅は変えることはできるが、輝度は変えることはできない。
【００２６】
なぜならパルス幅だけでなく、点滅周期も１／２、１／３となり、単位時間におけるＬＥＤの点灯／消灯の時間の割合が変わらないためである。
【００２７】
そこで、更に、間引き制御部７０により、色設定部２３からのパルスを間引くことにより輝度を変えることができる。
【００２８】
即ち、間引き制御部７０は、図４に示されるように、色設定部２３から入力されたパルスのうち、輝度制御部２２の出力信号の１周期、つまり点滅周期であるＴ１の時間における最初の１発のみ飾り部３に出力するように制御する。
【００２９】
このようにすることにより、飾り部３の色の輝度を調整することができる。
【００３０】
次に、本発明を用いた実施例について説明する。
【００３１】
まず、第１の実施例として、飾り部３を３色のＬＥＤのうち、赤ＬＥＤ３０の１色のみ点灯する場合について、以下に述べる。
【００３２】
まず、メイン制御部２８は、外光センサー１４からの検出値を基に、輝度テーブル２６を参照し、表示部２の最適な輝度を選択する。
【００３３】
次に、メイン制御部２８は、飾り部輝度制御部４０の切替部３０ｄを制御し、第１の分周回路３０ａに切り替え、輝度設定部２２に供給するクロック周波数と同一のクロック周波数を色設定部２３に供給する。
【００３４】
赤ＬＥＤ３０の１色のみ点灯の場合、個々の赤ＬＥＤ３０間の間隔は、表示部２の個々のＬＥＤの間隔とほぼ同じであるため、従来と同様に、図５に示されるように、同一のパルス幅ｔ１０、ｔ１１により駆動されることになり、表示部２と、飾り部３の輝度のバランスを最適にすることができる。
【００３５】
次に、第２の実施例として、飾り部３の赤ＬＥＤ３０と緑ＬＥＤ３１の２種類の色を点灯させた場合について述べる。
【００３６】
２種類の色を使用する場合、メイン制御部２８は、飾り部輝度制御部４０の切替部３０ｄを制御し、第２の分周回路３０ｂに切り替え、色設定部２３に対して、輝度設定部２２に供給するクロック周波数の２倍の周波数のクロック周波数を供給するようにする。
【００３７】
これにより、赤ＬＥＤ３０と緑ＬＥＤ３１のパルス幅は、図６に示されるように、最大でも表示部３に供給するパルス幅ｔ３０の半分までになる。
【００３８】
即ち、
ｔ３０＞ｔ３１＋ｔ３２
の関係になり、赤ＬＥＤ３０と緑ＬＥＤ３１が最大輝度で発光しても表示部２の輝度を上回ることがないため、飾り部３の色により、表示部の内容が阻害されることがなく、最適な表示をさせることができる。
【００３９】
次に、第３の実施例として、飾り部３の赤ＬＥＤ３０と緑ＬＥＤ３１と青ＬＥＤ３２の３種類の色を点灯させた場合について述べる。
【００４０】
３種類の色を使用する場合、メイン制御部２８は、飾り部輝度制御部４０の切替部３０ｄを制御し、第３の分周回路３０ｃに切り替え、色設定部２３に対して、輝度設定部２２に供給するクロック周波数の３倍の周波数のクロックを供給するようにする。
【００４１】
これにより、赤ＬＥＤ３０と緑ＬＥＤ３１と青ＬＥＤ３２のパルス幅は、図７に示されるように、最大でも表示部２に供給するパルス幅ｔ３０の１／３までになる。
【００４２】
即ち、
ｔ４０＞ｔ４１＋ｔ４２＋ｔ４３
の関係になり、赤ＬＥＤ３０と緑ＬＥＤ３１と青ＬＥＤ３２の３色が最大輝度で発光しても表示部２の輝度を上回ることがないため、飾り部３の色により、表示部の内容が視認性を阻害されることがなく、最適な表示をさせることができる。
【００４３】
以上述べたように、本発明は、飾り部３により、表示部２の表示内容が見づらくなる原因は、飾り部３を構成する個々のＬＥＤの輝度の合計値が、表示部２のＬＥＤの輝度を超えることによるものであることを考慮し、その対策として、飾り部輝度制御部４０により、従来、輝度設定部２２と色設定部２３とを同一周波数のクロックで動作させていたものを、本発明では、飾り部３に設定された色の種類により、輝度設定部２２と色設定部２３とを異なる周波数で動作させ、更に、色設定部２３から出力されるパルスを間引き制御部７０を介すことにより、飾り部３の輝度を制御できるようにしたものである。
【００４４】
なお、本実施の形態においては、飾り部３を構成する個々のＬＥＤの色が３色の場合について説明したが、これに限られるものではなく２色の場合にも応用できることはいうまでもない。
【００４５】
【発明の効果】
以上詳述しましたように、本発明の表示装置によれば、飾り部の輝度を自動で制御し、飾り部の発光輝度が、表示部の発光輝度を超えることがないため、飾り部の色により表示内容が見づらくなることがなく、昼夜を問わず視認性の面で最適な表示をさせることができる。
【図面の簡単な説明】
【図１】本発明の表示装置の内部ブロック図
【図２】本発明の表示装置に係る飾り部輝度制御部を示す図
【図３】本発明の表示装置の輝度制御方法に係るタイミングチャート
【図４】本発明の表示装置の輝度制御方法に係るタイミングチャート
【図５】本発明の表示装置の輝度制御方法に係るタイミングチャート
【図６】本発明の表示装置の輝度制御方法に係るタイミングチャート
【図７】本発明の表示装置の輝度制御方法に係るタイミングチャート
【図８】従来の表示装置の外観図
【図９】従来の表示装置の飾り部の構成を示す図
【図１０】従来の表示装置の内部ブロック図
【図１１】従来の表示装置の輝度制御に係るタイミングチャート
【符号の説明】
１、５０  表示装置
２  表示部
３  飾り部
２０  クロック生成部
３０  赤ＬＥＤ
３１  緑ＬＥＤ
３２  青ＬＥＤ
４０  飾り部輝度制御部
【図１】
2004325472.tif 000003
【図２】
2004325472.tif 000004
【図３】
2004325472.tif 000005
【図４】
2004325472.tif 000006
【図５】
2004325472.tif 000007
【図６】
2004325472.tif 000008
【図７】
2004325472.tif 000009
【図８】
2004325472.tif 000010
【図９】
2004325472.tif 000011
【図１０】
2004325472.tif 000012
【図１１】
2004325472.tif 000013